(57)【要約】【課題】予約設定された記録用紙が現在トレイに格納されている記録用紙と異なることを認識でき、表示部に表示されている内容を誤って認識することを防止できる画像形成装置等を提供する。【解決手段】画像形成装置１００において、画像制御ＣＰＵ８５によりトレイに装填される記録用紙に関する情報を取得し、ユーザが操作部４８からジョブを予約する際に、画像制御ＣＰＵ８５により取得した情報と、操作部４８から入力された記録用紙の情報とを比較し、入力された記録用紙の情報が現在トレイに収納されている記録用紙の情報と異なる場合には、制御手段１５ＡはＬＣＤ１８に記録用紙の残量を表示しないように制御する。これにより、予約された記録用紙のサイズまたは紙種などが現在トレイに収納されている記録用紙のサイズまたは紙種などと異なることを認識でき、ユーザが表示部に表示されている内容を誤って認識することを防止できる。【選択図】        図２
2005345732.tif 000002
【特許請求の範囲】
【請求項１】
画像を読み取る画像読取手段と、トレイに収納されている記録用紙の残量を確認する残量検知手段と、前記残量検知手段により検知された記録用紙の残量を表示する表示手段と、前記トレイから供給される記録用紙に画像を形成し出力する画像出力手段を有する画像形成装置において、
トレイに収納される記録用紙に関する情報を取得する用紙情報取得手段と、
画像形成ジョブを予約する予約設定手段と、
前記用紙情報取得手段により取得した情報と、前記予約設定手段で入力された記録用紙の情報とを比較する比較手段と、
前記比較手段の比較結果に基づいて、前記予約設定手段により入力された記録用紙情報が現在トレイに収納されている記録用紙の情報と異なる場合には、その旨を示す表示内容を表示するように前記表示手段を制御する制御手段と
を備えることを特徴とする画像形成装置。
【請求項２】
前記記録用紙の情報は、記録用紙のサイズ、紙種、坪量、色、または穴あきを含む
ことを特徴とする請求項１に記載の画像形成装置。
【請求項３】
前記制御手段は、
前記比較手段の比較結果に基づいて、前記予約設定手段により入力された記録用紙情報が現在トレイに収納されている記録用紙の情報と異なる場合には、前記記録用紙の残量を表示しないように前記表示手段を制御する
ことを特徴とする請求項１に記載の画像形成装置。
【請求項４】
前記比較手段は、前記予約設定手段により選択されたトレイのみに対して前記用紙情報取得手段により取得した情報と、前記予約設定手段で入力された記録用紙の情報とを比較し、
前記制御手段は、前記比較手段の比較結果に基づいて、前記予約設定手段により入力された記録用紙情報が選択されたトレイに収納されている記録用紙の情報と異なる場合には、前記記録用紙の残量を表示しないように前記表示手段を制御する
ことを特徴とする請求項１に記載の画像形成装置。
【請求項５】
画像を読み取る画像読取手段と、トレイに収納されている記録用紙の残量を確認する残量検知手段と、前記残量検知手段により検知された記録用紙の残量を表示する表示手段と、前記トレイから供給される記録用紙に画像を形成し出力する画像出力手段を有する画像形成装置における表示制御方法であって、
トレイに収納される記録用紙の情報を取得する情報取得ステップと、
画像形成ジョブを予約する予約ステップと、
前記用紙情報取得ステップで取得した情報と、前記予約ステップで入力された記録用紙の情報とを比較する比較ステップと、
前記比較ステップの比較結果に基づいて、前記予約ステップで入力された記録用紙情報が現在トレイに収納されている記録用紙の情報と異なる場合には、その旨を示す表示内容を表示するように制御する表示制御ステップと
を備えることを特徴とする表示制御方法。
【請求項６】
前記表示制御ステップでは、
前記比較ステップの比較結果に基づいて、前記予約ステップで入力された記録用紙情報が現在トレイに収納されている記録用紙の情報と異なる場合には、前記記録用紙の残量を表示しないように制御する
ことを特徴とする請求項５に記載の表示制御方法。
【請求項７】
前記比較ステップでは、前記予約ステップで選択されたトレイのみに対して前記情報取得ステップで取得した情報と、前記予約ステップで入力された記録用紙の情報とを比較し、
前記表示制御ステップでは、前記比較ステップの比較結果に基づいて、前記予約ステップで入力された記録用紙情報が選択されたトレイに収納されている記録用紙の情報と異なる場合には、前記記録用紙の残量を表示しないように前記表示手段を制御する
ことを特徴とする請求項５に記載の表示制御方法。
【発明の詳細な説明】
【技術分野】
【０００１】
本発明は、予約ジョブ実行中に他のジョブ予約を行うことができ、トレイに収納されている記録用紙の残量を表示または非表示することができる画像形成装置および表示制御方法に関するものである。
【背景技術】
【０００２】
従来、用紙を格納するトレイの記録用紙の残量を検知し、この残量情報を操作パネルに表示する画像形成装置が提案されている（例えば、特許文献１参照）。
【０００３】
この場合、給紙カセット内を昇降するトレイ（底板）の上昇開始位置から上昇停止位置までの移動時間を計測し、この計測された移動時間からトレイ上の記録用紙の残量を算出して、表示部に表示するようになされる。
【０００４】
また、ジョブの動作中に次のジョブに対する設定および実行指示を行うことができ、第１のジョブのプリント動作と第２のジョブの読み取り動作を並行して実行することが可能な画像形成装置が提案されている（例えば、特許文献２参照）。
【０００５】
この場合、画像形成装置において、画像形成装置に対して操作者が指示を行う指示手段と、指示手段に対する第１の指示に基づいて画像読取手段が画像を読み取っている際および画像出力手段が画像を出力している際に指示手段に対する第２の指示を受け付けるとともに第２の指示に基づく動作の開始を制御する制御手段を具備する。
【０００６】
これにより、第１のジョブの動作中にも通常と同様の第２のジョブの設定を行って、第１のジョブと並行して実行可能であるため、大量コピー中でも第１のジョブが終了するのを何もせず待たなくても良く、待ち時間の無駄を省くことができる。このとき、第２のジョブの機能設定は、第１ジョブの機能に制限されることなく、行うことができる。また、設定した第２のジョブの登録、起動指示も簡単にできるため難しい操作を必要としない。また、第１のジョブが終了した時点で、第２のジョブが第１のジョブに変更されるため、第２ジョブが終了しなくても、次のジョブが同様に設定できるので、複数のジョブを効率的に処理することができる。さらに、第２のジョブの設定枚数、コピー枚数の表示が第１のジョブとは別の領域に表示されるので、第２のジョブの設定中や動作中であっても、第１のジョブの設定枚数とコピー枚数が確認でき、第１のジョブの動作状態を容易に知ることが可能となる。
【０００７】
【特許文献１】特開２００１−４８３８０号公報（第３頁、第８図）
【特許文献２】特開平８−５５２２８号公報（第３，４頁）
【発明の開示】
【発明が解決しようとする課題】
【０００８】
しかしながら、上述の特許文献１の画像形成装置において、本体トレイに装填されている記録用紙サイズのみで予約が可能で、予約を実施する際、合致する記録用紙が装填されていない場合には読み込みが不可能となっており、他のトレイに所望の記録用紙を装填するか、前のジョブが終了するまで待たなければならないという問題があった。
【０００９】
また、上述した特許文献２の場合、出力時に次のジョブに対する設定および実行指示を行うことができるが、コピー予約の際に、予約された記録用紙のサイズ、紙種などが現在トレイに収納されている記録用紙のサイズ、紙種などと異なる場合には、予約した記録用紙がトレイに収納されていないことが認識できないため、出力順番に回ってきたとき、所要の記録用紙を装填することができず、出力が停止するという問題があった。
【００１０】
そこで、本発明は、予約設定された記録用紙が現在トレイに格納されている記録用紙と異なることを認識でき、表示部に表示されている内容を誤って認識することを防止することができるようにした画像形成装置および表示制御方法を提供することを目的とする。
【課題を解決するための手段】
【００１１】
上記課題を解決するために、本発明に係る画像形成装置は、画像を読み取る画像読取手段と、トレイに収納されている記録用紙の残量を確認する残量検知手段と、残量検知手段により検知された記録用紙の残量を表示する表示手段と、トレイから供給される記録用紙に画像を形成し出力する画像出力手段を有する画像形成装置において、トレイに収納される記録用紙に関する情報を取得する用紙情報取得手段と、画像形成ジョブを予約する予約設定手段と、用紙情報取得手段により取得した情報と、予約設定手段で入力された記録用紙の情報とを比較する比較手段と、この比較手段の比較結果に基づいて、予約設定手段により入力された記録用紙情報が現在トレイに収納されている記録用紙の情報と異なる場合には、その旨を示す表示内容を表示するように表示手段を制御する制御手段とを備えるものである。
【００１２】
本発明によれば、用紙情報取得手段によりトレイに装填される記録用紙に関する情報、例えば、記録用紙の情報は、記録用紙のサイズ、紙種、坪量、色、または穴あきを含む情報を取得し、予約設定手段により予約する際に、比較手段により前記用紙情報取得手段により取得した情報と、予約設定手段で入力された記録用紙の情報とを比較し、予約設定手段により入力された記録用紙情報が現在トレイに収納されている記録用紙の情報と異なる場合には、制御手段は残量表示手段で記録用紙の残量を表示しないように表示手段を制御する。
【００１３】
例えば、制御手段は、比較手段の比較結果に基づいて、予約設定手段により入力された記録用紙情報が現在トレイに収納されている記録用紙の情報と異なる場合には、記録用紙の残量を表示しないように表示手段を制御する。
【００１４】
また例えば、比較手段は、予約設定手段により選択されたトレイのみに対して用紙情報取得手段により取得した情報と、予約設定手段で入力された記録用紙の情報とを比較し、制御手段は、比較手段の比較結果に基づいて、予約設定手段により入力された記録用紙情報が選択されたトレイに収納されている記録用紙の情報と異なる場合には、記録用紙の残量を表示しないように表示手段を制御する。
【００１５】
これにより、ジョブを予約する際に、予約設定された記録用紙が現在トレイに格納されている記録用紙と異なる場合、ユーザが表示部に表示されている内容を誤って認識することを防止せき、正確な情報を提供することが可能となる。そのため、予約したジョブの出力順番に回ってきたとき、所要の用紙を装填することがなく、出力がそのまま停止されることを防止することが可能となる。
【００１６】
本発明に係る表示制御方法は、画像を読み取る画像読取手段と、トレイに収納されている記録用紙の残量を確認する残量検知手段と、前記残量検知手段により検知された記録用紙の残量を表示する表示手段と、前記トレイから供給される記録用紙に画像を形成し出力する画像出力手段を有する画像形成装置における表示制御方法であって、トレイに収納される記録用紙の情報を取得する情報取得ステップと、画像形成ジョブを予約する予約ステップと、用紙情報取得ステップで取得した情報と、予約ステップで入力された記録用紙の情報とを比較する比較ステップと、比較ステップの比較結果に基づいて、予約ステップで入力された記録用紙情報が現在トレイに収納されている記録用紙の情報と異なる場合には、その旨を示す表示内容を表示するように制御する表示制御ステップとを備えることを特徴とするものである。
【００１７】
例えば、表示制御ステップでは、比較ステップの比較結果に基づいて、予約ステップで入力された記録用紙情報が現在トレイに収納されている記録用紙の情報と異なる場合には、記録用紙の残量を表示しないように制御する。
【００１８】
また例えば、比較ステップでは、予約ステップで選択されたトレイのみに対して情報取得ステップで取得した情報と、予約ステップで入力された記録用紙の情報とを比較し、表示制御ステップでは、比較ステップの比較結果に基づいて、予約ステップで入力された記録用紙情報が選択されたトレイに収納されている記録用紙の情報と異なる場合には、記録用紙の残量を表示しないように制御する。
【００１９】
本発明によれば、ジョブを予約する際に、予約設定された記録用紙が現在トレイに格納されている記録用紙と異なる場合、ユーザが表示部に表示されている内容を誤って認識することを防止でき、正確な情報を提供することが可能となる。
【発明の効果】
【００２０】
本発明に係わる画像形成装置および表示制御方法によれば、用紙情報取得手段によりトレイに装填される記録用紙に関する情報を取得し、予約設定手段により予約する際に、比較手段により前記用紙情報取得手段により取得した情報と、予約設定手段で入力された記録用紙の情報とを比較し、予約設定された記録用紙が現在トレイに格納されている記録用紙と異なる場合には、制御手段はその旨を示す表示内容を表示するように表示手段を制御する。
【００２１】
この構成によって、ジョブを予約する際に、予約設定された記録用紙が現在トレイに格納されている記録用紙と異なる場合、ユーザが表示部に表示されている内容を誤って認識することを防止でき、正確な情報を提供することができる。
【発明を実施するための最良の形態】
【００２２】
以下、図面を参照しながら、本発明の実施の形態の画像形成装置および表示制御方法について説明する。
【００２３】
図１は、本発明の実施の形態の画像形成装置１００の構成の一例を示す図である。
図１に示す画像形成装置１００は、所定のプログラム情報に基づいて画像を形成する装置であり、登録された複数のジョブを所定の順序で実行し、記録用紙に画像を形成する複写機、プリンタ、これらの複合機等に適用して好適である。この例で、画像形成装置１００はモノクロ画像を得る直接転写方式の複合機を構成するものであり、装置本体Ａを有している。もちろん、装置本体Ａに後処理装置９０を連結して使用してもよい。この装置本体Ａ内には給紙トレイ３０ａ、３０ｂ、原稿読取手段１１、制御手段１５、書き込み処理部６０及び、画像形成部７０等が備えられる。
【００２４】
この装置本体Ａの上部には自動原稿給紙装置（ＡＤＦ）４０が取り付けられており、任意の原稿２０を自動給紙するように動作する。例えば、ＡＤＦ４０は原稿載置部４１、ローラ４２ａ、ローラ４２ｂ、ローラ４３、搬送ローラ４４及び排紙皿４６を有している。原稿載置部４１には一又は複数の原稿２０が載置される。原稿載置部４１の下流側にはローラ４２ａ及び４２ｂが設けられ、自動給紙モードが選択されたとき、原稿載置部４１から繰り出された原稿２０は下流側のローラ４３によってＵ字回転するように搬送される。なお、自動給紙モードが設定された場合、原稿２０の記録面は原稿載置部４１で上に向けて載置するようになされる。
【００２５】
一方、本体装置内には、原稿読取手段１１が設けられている。原稿読取手段１１には縮小型イメージセンサが使用される。また、原稿読取手段１１では、例えば、原稿２０がローラ４３によってＵ字状に反転するときに、その原稿２０の表面を読み取って原稿表面の画像データ（以下原稿画像データＤinという）を出力するようになされる。
【００２６】
原稿読取手段１１は第１のプラテンガラス５１、第２のプラテンガラス（ＡＤＦガラス）５２、光源５３、ミラー５４、５５、５６、結像光学部５７、ＣＣＤ撮像装置５８及び図示しない光学駆動部を有している。原稿読取手段１１で読み取られた原稿２０は、搬送ローラ４４により搬送されて排紙皿４６へ排紙される。
【００２７】
原稿読取手段１１には、縮小型イメージセンサを構成するＣＣＤ撮像装置５８が備えられ、このＣＣＤ撮像装置５８の出力段には制御手段１５が接続され、制御手段１５で画像処理した後の原稿画像データＤinが画像形成部（画像形成手段）７０に出力される。画像形成部７０では例えば、給紙トレイ３０ａ又は３０ｂのいずれか１つから繰り出された記録用紙３０に画像を形成するようになされる。画像形成部７０は有機感光体ドラム（以下感光体ドラムという）７１、帯電部７２、現像部７３、転写部７４、分離部７５、クリーニング部７６、搬送機構７７及び定着部７８を有している。
【００２８】
この感光体ドラム７１の上方には帯電部７２が配設され、所定の帯電電位に基づいて予め感光体ドラム７１が一様に帯電される。感光体ドラム７１の例えば斜め右上方には画像書き込み６０が設けられ、画像処理後の原稿画像データＤinに基づく所定強度のレーザ光が照射され感光体ドラム７１が露光され、その感光体ドラム７１上に静電潜像が形成される。
【００２９】
感光体ドラム７１の右側にはトナー及びキャリア（現像剤）が収容された現像部７３が配設され、書き込み処理部６０によって露光された静電潜像はトナーによって現像される。この現像部７３の下方にはレジストローラ６２や給紙トレイ３０ａ及び３０ｂ等が設けられる。装置本体Ａの右側には手差しトレイ６３が取り付けられている。給紙トレイ３０ａ及び３０ｂや、手差しトレイ６３等にセットされた記録用紙は給紙制御によって、搬送ローラ６１、レジストローラ６２等を経て感光体ドラム７１下に搬送される。
【００３０】
なお、給紙トレイ３０ａ及び３０ｂには、トレイ上昇用モータ、トレイ上限センサなど（図示せず）を備えている。トレイ上昇用モータ、トレイ上限センサからの情報等に基づいて、記録用紙３０の残量を検出することが可能である。
【００３１】
感光体ドラム７１の下方には転写部７４が配設され、帯電、露光、現像を経てその感光体ドラム７１上に形成されたトナー像が、レジストローラ６２により搬送タイミング制御される記録用紙３０に転写される。この転写部７４に隣接して分離部７５が設けられ、トナー像を転写した記録用紙３０が感光体ドラム７１から分離される。この分離部７５の下流側には搬送機構部７７が設けられ、その終端部には定着部７８が設けられる。定着部７８は記録用紙３０に転写されたトナー像を定着する。搬送機構部７７と上述の帯電部７２との間であって、感光体ドラム７１に対向してクリーニング部７６が設けられ、感光体ドラム７１に残留したトナーがクリーニングされる。
【００３２】
この例で両面コピーが選択されると、一方の用紙面（表面）に画像形成され、定着部７８から排出された記録用紙３０の裏面にも画像が形成される。定着部７８から排出された記録用紙３０は分岐手段９１によりシート排紙路から分岐され、それぞれ給紙手段２３を構成する下方の反転ローラ９２や、反転部９３等により表裏を反転され、反転後の記録用紙３０は反転搬送路９４を通過して給紙ローラ６１の手前において通常の給紙路と合流する。
【００３３】
ここで反転搬送された記録用紙３０は、レジストローラ６２を経て、再度、転写部７４に搬送され、記録用紙３０の他方の面（裏面）上にトナー像が転写される。トナー像が転写された記録用紙３０は、定着部７８により定着処理され、排紙ローラ９５に挟持されて機外の排紙トレイ９６等に排紙される。上述の処理で画像形成が完了した記録用紙３０は排紙トレイ９６に限られることはなく、後処理装置９０によってステープル処理や綴じ込み処理等を行われる場合もある。
【００３４】
図２は画像形成装置１００の制御系の構成例を示すブロック図である。図２に示すように、画像形成装置１００は、所定のプログラム情報に基づいて画像を形成する装置であり、原稿読取手段１１、制御部１５、プリントコントローラ２１、操作部４８、画像形成部７０、ＦＮＳ制御部８０、及びＡＤＦ制御部８１を有している。
【００３５】
図２において、原稿読取手段（スキャナ）１１は制御部１５に接続される。制御部１５で画像処理した後の原稿画像データＤinは画像形成部７０に出力される。
【００３６】
プリントコントローラ２１は、ＬＡＮインタフェース１２、ＤＲＡＭ制御ＩＣ１３、画像メモリ１６及びコントローラ制御部１７を有している。プリントコントローラ２１は、ＰＣＩバス１９を通じて制御部１５に接続される。
【００３７】
ＬＡＮインタフェース１２は、当該画像形成装置１００をプリンタとして使用する場合や、プログラム書き換え時等において、外部の情報処理装置、例えばコンピュータとの間の通信を実行する。
【００３８】
ＬＡＮインタフェース１２にはＤＲＡＭ制御ＩＣ１３が接続され、ＤＲＡＭ制御ＩＣ１３には画像メモリ１６及びコントローラ制御部１７が接続される。画像メモリ１６には、プリントモード時において、外部のコンピュータ等から取り込んだプリントデータ等がコントローラ制御部１７及びＤＲＡＭ制御ＩＣ１３の制御を受けて記憶される。
【００３９】
制御部１５は、画像メモリ１６からプリントデータを読み出して画像処理を行う。制御部１５は、原稿読取手段１１、プリントコントローラ２１及び画像形成部７０、操作部４８、ＡＤＦ制御部８１を接続して使用される。
【００４０】
原稿読取手段１１は、図１で説明したＣＣＤ撮像装置５８の他に、スキャナ制御部５９を備えている。スキャナ制御部５９はＣＣＤ撮像装置５８の入出力を制御する。例えば、スキャナ制御部５９は、自動給紙モードが選択されたとき、図１に示した原稿載置部４１から繰り出された原稿２０を下流側のローラ４３によってＵ字回転するように搬送制御する。ＣＣＤ撮像装置５８は、原稿２０がローラ４３によってＵ字状に反転するときに、その原稿２０の表面を読み取って原稿表面の画像情報を読み取るようになされる。ＣＣＤ撮像装置５８から得られたアナログ画像取得信号はアナログ・デジタル変換されてデジタルの原稿画像データＤinとなる。
【００４１】
図２において、制御部１５は、読み取り処理部３１、圧縮ＩＣ３２、画像メモリ（ＤＲＡＭ）３３、不揮発メモリ３４、ＤＲＡＭ制御ＩＣ３５、伸長ＩＣ３８、書き込み処理部６０を有している。上述の原稿画像データＤinは読み取り処理部３１に出力される。読み取り処理部３１は原稿読取手段１１及びＰＣＩバス１９に接続される。読み取り処理部３１では、原稿読取手段１１から転送されてきた原稿画像データＤinを読み取り処理するようになされる。読み取り処理部３１には圧縮ＩＣ３２が接続され、原稿画像データＤinを圧縮して符号化するようになされる。圧縮符号化後の原稿画像データＤinは圧縮画像データとなる。
【００４２】
圧縮ＩＣ３２には、ＤＲＡＭ制御ＩＣ３５を通じて画像メモリ３３が接続される。画像メモリ３３はＤＲＡＭから構成され、圧縮メモリ３６及びページメモリ３７を有している。圧縮メモリ３６にはＤＲＡＭ制御ＩＣ３５のメモリ制御を受けて、圧縮画像データが格納される。また、ＤＲＡＭ制御ＩＣ３５には伸長ＩＣ３８が接続され、画像形成時に、圧縮画像データを伸長復号化するようになされる。伸長復号化後の画像データは原稿画像データＤinとなる。伸長復号化後の原稿画像データＤinは、ページメモリ３７に格納される。また、ＤＲＡＭ制御ＩＣ３５は、ジョブエンドを検出する検出手段としても機能する。
【００４３】
上述のＰＣＩバス１９には書き込み処理部６０が接続され、ページメモリ３７から読み出された原稿画像データＤinに基づいてレーザ駆動信号Ｓoutが生成される。レーザ駆動信号Ｓoutは、画像形成部７０に出力される。なお、伸長ＩＣ３８に書き込み処理部６０を接続し、ページメモリ３７を介さずに直接、伸長復号化後の原稿画像データＤinを書き込み処理部６０に供給してもよい。
【００４４】
また、図２に示す制御部１５には操作部４８が接続される。この操作部４８は、キー入力手段の一例であり、コピー枚数や画像濃度等の画像形成条件の設定、給紙トレイ３０ａや３０ｂ等の１つを選択する際に操作される。また、操作部４８は。コピーなどの画像形成ジョブを予約する予約設定手段としても機能する。
【００４５】
操作部４８には図示しない操作パネルの他にＬＣＤ（液晶表示装置）１８が備えられ、記録用紙３０のサイズや、コピー枚数、画像濃度等の画像形成条件を表示するように動作する。また、ＬＣＤ１８は表示手段としても機能し、記録用紙の残量を表示する。操作部４８は、ＬＣＤ１８上にタッチパネルが組み合わされ、ＧＵＩ（Graphic User Interface）方式の操作パネルが構成される。操作部４８はＬＣＤ１８の他に操作部制御部１４を備えている。操作部制御部１４はＬＣＤ１８を表示制御したり、タッチパネルで発生するタッチ検知信号の入力制御をする。タッチパネルからの入力信号は制御手段１５Ａの画像制御ＣＰＵ８５に供給される。上述の操作部４８により入力された操作データＤ３は、システムメモリ８３に登録するようになされる。
【００４６】
図２に示す画像形成部７０は、画像出力手段としてレーザーダイオード（ＬＤ）６４及びプリンタ制御部６５を備えており、上述の操作部４８により設定された内容に基づいて画像を形成するように動作する。
【００４７】
レーザーダイオード（ＬＤ）６４はレーザ駆動信号Ｓoutに基づいてレーザ光を発生する。当該レーザ光は画像書き込み部６０の走査機構によって感光体ドラム上に走査される。この走査により感光体ドラム上に静電潜像が形成される。静電潜像は画像形成部７０でトナー現像され、所望の記録用紙３０にトナー像が転写される。プリンタ制御部６５は、画像処理後の原稿画像データ又はプリントデータを画像形成部７０に出力して画像形成制御をする。
【００４８】
プリンタ制御部６５には、ＦＮＳ制御部８０が接続される。このＦＮＳ制御部８０は、画像形成後の記録用紙３０の後処理を行う後処理装置９０を制御する。
【００４９】
制御手段１５Ａは、不揮発メモリ３４、システムメモリ（ＲＡＭ）８３、プログラムメモリ８４、画像制御ＣＰＵ８５を有している。上述のＤＲＡＭ制御ＩＣ３５には画像制御ＣＰＵ８５が接続される。
【００５０】
画像制御ＣＰＵ８５は、プログラムメモリ８４格納されたグログラムに基づいて当該画像形成装置全体を制御するようになされる。
【００５１】
制御手段１５Ａは、用紙情報取得手段としてトレイに装填される記録用紙に関する情報を取得する。例えば、用紙サイズ検出センサから各トレイに格納されている記録用紙のサイズ情報を取得し、また、システムメモリ８３に記憶されている紙種等に関する設定情報を取得する。
【００５２】
また、制御手段１５Ａは、比較手段としてジョブ予約の際に、取得したトレイに格納されている記録用紙の情報と、ユーザの予約設定で入力された記録用紙の情報とを比較する。そして、入力された記録用紙情報が現在トレイに収納されている記録用紙の情報と異なる場合には、残量表示部で記録用紙の残量を表示しないようにＬＣＤ１８の表示を制御する。
【００５３】
また、画像制御ＣＰＵ８５に接続される不揮発メモリ３４やプログラムメモリ８４等はデータの書き換えが可能で電源を切ってもデータが消去されないメモリである。
【００５４】
ＡＤＦ制御部８１は、自動原稿供給手段としてのＡＤＦ４０の動作を制御するものである。
【００５５】
図３は、操作部のコピー画面の表示内容を示す図である。図３に示すように、コピー画面Ｐ１に「原稿設定」、「画質設定」、「倍率設定」、「応用設定」、「出力設定」、「両面設定」、「用紙予約設定」などの操作ボタンが設けられている。また、「用紙予約設定」のボタンＢ１の下部にトレイ状態表示部として、用紙サイズ、紙種、および用紙残量などのトレイ状態を表示されている。
【００５６】
また、図３に示すように、用紙残量の表示は５つのレベルで検知し、表示部に４本の棒グラフで表示を行っている。例えば、検知レベル１（１０％）の場合、１本点滅、レベル２（２５％）の場合、１本点灯、レベル３（５０％）の場合、２本点灯、レベル４（７５％）の場合、３本点灯、レベル５（１００％）の場合、４本点灯で表示する。
【００５７】
なお、用紙残量の検出方法は、特許文献１と同様であり、即ち給紙カセット内を昇降するトレイ（底板）の上昇開始位置から上昇停止位置までの移動時間を計測し、この計測された移動時間からトレイ上の記録用紙の残量を算出する。
【００５８】
コピー画面Ｐ１内の「用紙予約設定」ボタンＢ１を押すことにより、トレイ毎に用紙情報（サイズ設定、紙種設定、坪量設定、色紙設定、穴あき設定、表裏調整）の予約を行うことが可能である。
【００５９】
図４は、用紙予約設定画面の表示例を示す図である。図４に示すように、コピー画面Ｐ１内の「用紙予約設定」ボタンＢ１が押された場合、「用紙予約設定」のポップアップ画面Ｐ２が表示される。このポップアップ画面Ｐ２に、トレイ選択ボタン（「トレイ１」、「トレイ２」、・・・、「トレイ５」）Ｔ１〜Ｔ５と、「サイズ設定」ボタンＢ２と、「紙種条件選択」ボタンＢ３とが設けられている。トレイ選択ボタンＴ１〜Ｔ５で予約しようとするトレイを選択したあと、サイズ設定または紙種条件選択を行うことができる。例えば、図示のようにボタンＴ４を押してトレイ４が選択された場合、「サイズ設定」ボタンＢ２を押すことにより、用紙サイズの設定が予約可能である。
【００６０】
図５は、用紙サイズ設定画面の表示例を示す図である。図５に示すように、「サイズ設定」ボタンＢ２が押された場合、「トレイ４  サイズ設定」のポップアップ画面Ｐ３が表示される。このポップアップ画面Ｐ３に、「定形サイズ」、「不定形サイズ」、「Ａ３」、「Ａ４」、・・・、「Ｂ５」等の選択ボタンが設けられている。これらのボタンを押すことで、用紙のサイズが設定される。
【００６１】
図６は、紙種条件選択画面の表示例を示す図である。図６に示すように、用紙予約設定画面で「紙種条件選択」ボタンＢ３が押された場合、「トレイ４  紙種条件選択」のポップアップ画面Ｐ４が表示される。このポップアップ画面Ｐ４に、「塗工紙Ａ」、・・・、「普通紙」等の選択用ボタンが設けられている。これらのボタンを押すと、図７に示す「トレイ４  設定変更」のポップアップ画面Ｐ５が表示される。この画面で、紙種、坪量、色紙、穴あき、表裏調整の設定変更が可能である。変更設定を行ったあと「ＯＫ」ボタンを押すことで、記録用紙の紙種が設定される。
【００６２】
上述したように、ユーザが用紙予約設定を行ったあと、入力された用紙設定の情報を現在トレイに格納されている記録用紙の情報と比較して、入力された用紙設定の情報が現在トレイに格納されている記録用紙の情報と異なる場合、コピー画面に記録用紙の残量を表示しないようになされる。
【００６３】
図８は、入力された用紙設定の情報が現在トレイに格納されている記録用紙の情報と異なる場合のコピー画面の表示例を示す図である。図８に示すように、「用紙予約設定」の操作ボタンの下部にあるトレイ状態表示部には、各トレイの記録用紙の残量が表示されていない。これにより、ユーザが入力された用紙設定の情報が現在トレイに格納されている記録用紙の情報と異なり、即ち現在トレイ中に所望の記録用紙が装入されていない。この場合、前に予約されたジョブが完了した後、設定された記録用紙を所定のトレイに装入することで、予約したコピージョブが実行され、出力が得ることができる。
【００６４】
続いて、本発明に係る表示制御方法について、画像形成装置１００の動作例を説明する。図９は、画像形成装置１００における動作例を示すフローチャートである。
【００６５】
本発明の実施の形態では、画像形成装置１００において、ユーザがジョブを予約する際に、記録用紙の予約設定が完了したとき、制御部は入力された用紙設定の情報と現在トレイに格納されている記録用紙の情報とを比較し、予約設定された記録用紙が現在トレイに格納されている記録用紙と異なる場合、記録用紙の残量を表示しないように制御する場合を想定している。
【００６６】
まず、図９に示すフローチャートのステップＳ１１で、用紙予約の入力が完了したか否かを判断する。ここで、用紙予約の入力が完了したと判断された場合、ステップＳ１２で、記録用紙の情報を比較するために、トレイ１を指定する。そして、ステップＳ１３で、入力された用紙設定の情報が現在トレイに格納されている記録用紙の情報と一致するか否かを判断する。ここで、画像制御ＣＰＵ８５は比較手段として、入力された用紙設定の情報が現在トレイに格納されている記録用紙の情報と一致したと判断された場合には、ステップＳ１４で、コピー画面で記録用紙の残量を表示する。一方、入力された用紙設定の情報が現在トレイに格納されている記録用紙の情報と一致ではないと判断された場合には、ステップＳ１５で、コピー画面で記録用紙の残量を表示しないようにする（図８参照）。
【００６７】
次に、ステップＳ１６で、全てのトレイをチェックしたか否かを判断する。ここで、全てのトレイをチェックしたと判断された場合には、動作を終了する。一方、全てのトレイのチェックが完了していないと判断された場合には、ステップＳ１７で、トレイ情報に＋１、例えばトレイ２になり、ステップＳ１３に戻り、上述した動作を繰り返す。全てのトレイをチェックしたとき、動作を終了する。
【００６８】
ここでは、入力された記録用紙情報が現在トレイに収納されている記録用紙の情報と異なる場合、全てのトレイに対して記録用紙の残量を表示しないように制御するとしたが、これに限定されるものではない。所定のトレイのみ、例えば選択されたトレイ４のみの比較を行い、入力された記録用紙情報が選択されたトレイ４に収納されている記録用紙の情報と異なる場合、トレイ４に記録用紙の残量を表示しないように制御するようにしてもよい。
【００６９】
このように本実施の形態においては、画像制御ＣＰＵ８５によりトレイに装填される記録用紙に関する情報を取得し、ユーザが操作部４８からジョブ予約（例えば、コピー予約）の際に、比較手段としての画像制御ＣＰＵ８５により取得した情報と、操作部４８から入力された記録用紙の情報とを比較し、入力された記録用紙情報が現在トレイに収納されている記録用紙の情報と異なる場合には、制御手段１５ＡはＬＣＤ１８に記録用紙の残量を表示しないように制御する。
【００７０】
これにより、ジョブ予約の際に、予約設定された記録用紙が現在トレイに格納されている記録用紙と異なると異なる場合、ユーザが表示部に表示されている内容を誤って認識することを防止でき、正確な情報を提供することができる。
【００７１】
なお、上述した実施の形態においては、ジョブ予約の際に、入力された記録用紙情報が現在トレイに収納されている記録用紙の情報と異なる場合、記録用紙の残量を表示しないように制御するとしたが、これに限定されるものではない。入力された記録用紙情報が現在トレイに収納されている記録用紙の情報と異なる旨を示す他の表示内容（例えば、「設定の記録用紙がない」、「トレイにこの用紙がない」等）をトレイ状態表示部に表示するようにしてもよい。
【図面の簡単な説明】
【００７２】
【図１】実施の形態の画像形成装置の構成例を示す図である。
【図２】画像形成装置１００の制御系の構成例示すブロック図である。
【図３】コピー画面の表示例を示す図である。
【図４】用紙予約設定画面の表示例を示す図である。
【図５】用紙サイズ設定画面の表示例を示す図である。
【図６】紙種条件選択画面の表示例を示す図である。
【図７】紙種条件の変更設定画面の表示例を示す図である。
【図８】用紙残量非表示のコピー画面の表示例を示す図である。
【図９】画像形成装置１００の動作例を示すフローチャートである。
【符号の説明】
【００７３】
１１  原稿読取手段  
１２  ＬＡＮインタフェース
１３  ＤＲＡＭ制御ＩＣ
１４  操作部制御部
１５  制御部
１５Ａ  制御手段（比較手段，用紙情報取得手段）
１６  画像メモリ
１７  コントローラ制御部
１８  ＬＣＤ（表示手段）
２１  プリントコントローラ
２３  給紙手段
３３  画像メモリ
３５  ＤＲＡＭ制御ＩＣ
４８  操作部（予約設定手段）
６０  書き込み処理部
７０  画像形成部（画像出力手段）
８１  ＡＤＦ制御部
８３  システムメモリ
８４  プログラムメモリ
８５  画像制御ＣＰＵ
９０  後処理装置
１００  画像形成装置
【図１】
2005345732.tif 000003
【図２】
2005345732.tif 000004
【図３】
2005345732.tif 000005
【図４】
2005345732.tif 000006
【図５】
2005345732.tif 000007
【図６】
2005345732.tif 000008
【図７】
2005345732.tif 000009
【図８】
2005345732.tif 000010
【図９】
2005345732.tif 000011